(57)【要約】      （修正有）【課題】端子台とケーブルとを接続する際の短絡を防止する端子台カバーを提供する。【解決手段】ケーブル２０の線材２１が挿入されるケーブル挿入部と、ケーブル挿入部内で、線材を挿入方向に対して直交する方向に挟持する挟持部と、挟持部の挟持及び離間を切り替えるための工具３０が挿入される工具挿入部１３とを備える端子台を覆う端子台カバー１である。端子台カバー１には、ケーブル挿入部の周囲を囲うとともに、当該ケーブル挿入部における挿入方向手前側に配置されたケーブル挿入部用カバー３及び工具挿入部用カバー４とが備えられている。【選択図】図２
2008153101.tif 000002
【特許請求の範囲】
【請求項１】
ケーブルの線材が挿入されるケーブル挿入部と、前記ケーブル挿入部内で、前記線材を挿入方向に対して直交する方向に挟持する挟持部と、前記挟持部の挟持及び離間を切り替えるための工具が挿入される工具挿入部とを備える端子台を覆い、絶縁材料からなる端子台カバーにおいて、
前記ケーブル挿入部の周囲を囲うとともに、当該ケーブル挿入部における挿入方向手前側に配置されたケーブル挿入部用カバーを備えていることを特徴とする端子台カバー。
【請求項２】
請求項１記載の端子台カバーにおいて、
前記工具挿入部の周囲を囲うとともに、当該工具挿入部における前記工具の挿入方向手前側に配置された工具挿入部用カバーを備えていることを特徴とする端子台カバー。
【請求項３】
ケーブルの線材が挿入されるケーブル挿入部と、前記ケーブル挿入部内で、前記線材を挿入方向に対して直交する方向に挟持する挟持部と、前記挟持部の挟持及び離間を切り替えるための工具が挿入される工具挿入部とを備える端子台を覆い、絶縁材料からなる端子台カバーにおいて、
前記工具挿入部の周囲を囲うとともに、当該工具挿入部における前記工具の挿入方向手前側に配置された工具挿入部用カバーを備えていることを特徴とする端子台カバー。
【発明の詳細な説明】
【技術分野】
【０００１】
本発明は、端子台カバーに関する。
【背景技術】
【０００２】
従来、ケーブルが接続される端子台には、ネジの周囲にケーブルの線材を巻き付けて、ネジを締結することにより、ケーブルの接続状態を維持するものが知られている（特許文献１参照）。具体的には、図４に示すように従来の端子台１００には、基台１０１と、基台１０１上に配列された複数の端子部１０２と、各端子部１０２に螺合するネジ１０３とが設けられている。この各ネジ１０３にケーブルの線材を巻き付け、ネジ１０３を螺入すると、ネジ１０３が線材を押さえ、ケーブルの接続状態を維持することになる。
【０００３】
ところで、上記した端子台１００のように、ネジ１０３にケーブルの線材を巻き付けて、結線するものであると、ケーブルが太ければ、線材をネジに巻き付けること自体が困難となり、端子台へ確実にケーブルを接続することが困難となっていた。
このため、近年においては、ケーブルの線材を挟み込むことで、ケーブルとの接続を確実に実現する端子台が開発されている。
【特許文献１】実用新案登録第２５８８３５２号
【発明の開示】
【発明が解決しようとする課題】
【０００４】
しかしながら、ケーブルの線材を挟み込む端子台においては、挟み込みを工具により固定することになっている。この固定時には、線材自体や工具が端子台近傍の金属に接触し、短絡させてしまうおそれがあった。
本発明の課題は、端子台とケーブルとを接続する際の短絡を防止する端子台カバーを提供することである。
【課題を解決するための手段】
【０００５】
請求項１記載の発明は、
ケーブルの線材が挿入されるケーブル挿入部と、前記ケーブル挿入部内で、前記線材を挿入方向に対して直交する方向に挟持する挟持部と、前記挟持部の挟持及び離間を切り替えるための工具が挿入される工具挿入部とを備える端子台を覆い、絶縁材料からなる端子台カバーにおいて、
前記ケーブル挿入部の周囲を囲うとともに、当該ケーブル挿入部における挿入方向手前側に配置されたケーブル挿入部用カバーを備えていることを特徴としている。
【０００６】
請求項２記載の発明は、請求項１記載の端子台カバーにおいて、
前記工具挿入部の周囲を囲うとともに、当該工具挿入部における前記工具の挿入方向手前側に配置された工具挿入部用カバーを備えていることを特徴としている。
【０００７】
請求項３記載の発明は、
ケーブルの線材が挿入されるケーブル挿入部と、前記ケーブル挿入部内で、前記線材を挿入方向に対して直交する方向に挟持する挟持部と、前記挟持部の挟持及び離間を切り替えるための工具が挿入される工具挿入部とを備える端子台を覆い、絶縁材料からなる端子台カバーにおいて、
前記工具挿入部の周囲を囲うとともに、当該工具挿入部における前記工具の挿入方向手前側に配置された工具挿入部用カバーを備えていることを特徴としている。
【発明の効果】
【０００８】
本発明によれば、ケーブル挿入部の周囲を囲うとともに、当該ケーブル挿入部における挿入方向手前側に配置されたケーブル挿入部用カバーが設けられているので、線材はケーブル挿入部用カバーにより案内されてケーブル挿入部に挿入されることになる。したがって、挿入時に線材が、隣接する他のケーブル挿入部内に侵入してしまうことや、外部の金属に接触してしまうことが防止される。
さらに、工具挿入部の周囲を囲うとともに、当該工具挿入部における工具の挿入方向手前側に配置された工具挿入部用カバーが設けられているので、工具は工具挿入部用カバーにより案内されて工具挿入部に挿入されることになる。これにより、挿入時に工具が外部の金属に接触してしまうことが防止される。
このように、線材や工具が金属に接触することが防止されると、接続作業時の短絡も防止されることになる。
【発明を実施するための最良の形態】
【０００９】
以下、図を参照にして本発明の実施形態について説明する。図１は端子台カバーの内部構成を表す断面図であり、図２は端子台カバーの外観を表す斜視図である。
【００１０】
まず、端子台カバー１により覆われた端子台１０について説明する。図１に示すように、端子台１０は、ケーブル２０の線材２１が挿入されるケーブル挿入部１１と、ケーブル挿入部１１内で、線材２１を挿入方向に対して直交する方向（図１における上下方向）に挟持する挟持部１２と、挟持部１２の挟持及び離間を切り替えるための工具３０（図２参照）が挿入される工具挿入部１３とが設けられている。
【００１１】
挟持部１２には、ケーブル２０の線材２１が載置される載置台１４と、昇降することで載置台１４に接離する昇降部１５とが設けられている。この載置台１４と、昇降部１５とはケーブル挿入部１１と連通している。また、昇降部１５の上方には、当該昇降部１５を昇降させるネジ部１６が設けられていて、このネジ部１６の頭部が工具挿入部１３を成している。
【００１２】
そして、昇降部１５と載置台１４とが離間した状態で、ケーブル挿入部１１に線材２１が挿入されると、当該線材２１は、昇降部１５と載置台１４との間に配置されることになる。その後、工具３０によってネジ部１６が回されて、昇降部１５が下降すると、載置台１４との間隔が狭まって、線材２１が挟持されるようになっている。これにより、端子台１０とケーブル２０の線材２１との接続が固定されることになる。
なお、本実施形態では、端子台１０が３つ配列された場合を例示するが、端子台１０の設置個数はこれに限定されない。
【００１３】
次に、端子台１０を覆う端子台カバー１について説明する。
端子台カバー１は絶縁材料により一体形成されていて、図１及び図２に示すように、３つの端子台１０の周囲を覆うカバー本体部２と、各端子台１０のケーブル挿入部１１の周囲を囲うケーブル挿入部用カバー３と、工具挿入部１３の周囲を囲う工具挿入部用カバー４とが設けられている。
【００１４】
ケーブル挿入部用カバー３は、カバー本体部２の側面に設けられていて、各端子台１０のケーブル挿入部１１を露出させつつ、その周囲を囲うように外方に向けて突出している。これにより、ケーブル挿入部用カバー３が、線材２１の挿入方向手前側まで延出して、ケーブル挿入部１１における線材２１の挿入方向手前側に配置されることになる。
【００１５】
工具挿入部用カバー４は、カバー本体部２の上部に設けられていて、各端子台１０の工具挿入部１３を露出させつつ、その周囲を囲うように外方に向けて突出している。これにより、工具挿入部用カバー４が、工具３０の挿入方向手前側まで延出して、工具挿入部１３における工具３０の挿入方向手前側に配置されることになる。
【００１６】
次に本実施形態の作用について説明する。
ケーブル２０が端子台１０に接続されていない場合、作業者は、工具３０を工具挿入部用カバー４内に挿入し、端子台１０の工具挿入部１３に挿入する。この際、工具３０の先端部は工具挿入部用カバー４により案内されるために、外部の金属と接触することが防止された状態で、工具挿入部１３内に挿入されることになる。その後、作業者は、挟持部１２が離間するように工具３０を回転させる。
【００１７】
挟持部１２が所定の間隔まで離間すると、作業者はケーブル２０の線材２１を曲げることなくケーブル挿入部用カバー３内に挿入し、端子台１０のケーブル挿入部１１に挿入する。この際、線材２１の先端部は、ケーブル挿入部用カバー３により案内されるために、隣接する端子台１０のケーブル挿入部１１内に侵入してしまうことや、外部の金属と接触することが防止された状態で、ケーブル挿入部１１内に挿入されることになる。
【００１８】
そして、作業者は、挟持部１２が線材２１を挟持するように、工具３０を回転させ、その後、工具３０を取り外し、接続作業を終了する。
【００１９】
以上のように本実施形態によれば、ケーブル挿入部用カバー３が、ケーブル挿入部１１の周囲を囲うとともに、当該ケーブル挿入部１１における挿入方向手前側に配置されているので、線材２１はケーブル挿入部用カバー３により案内されてケーブル挿入部１１に挿入されることになる。したがって、挿入時に線材２１が、隣接する他のケーブル挿入部１１内に侵入してしまうことや、外部の金属に接触してしまうことが防止される。
【００２０】
さらに、工具挿入部用カバー４が、工具挿入部１３の周囲を囲うとともに、当該工具挿入部１３における工具の挿入方向手前側に配置されているので、工具３０は工具挿入部用カバー４により案内されて工具挿入部１３に挿入されることになる。これにより、挿入時に工具３０が外部の金属に接触してしまうことが防止される。
このように、線材２１や工具３０が金属に接触することが防止されると、接続作業時の短絡も防止されることになる。
【００２１】
また、ケーブル挿入部１１や工具挿入部１３が、ケーブル挿入部用カバー３や工具挿入部用カバー４の奥側に配置されることになるので、線材２１やネジ部１６が外部からは目立たなくなり、見栄えをよくすることができる。
【００２２】
なお、本発明は上記実施形態に限らず適宜変更可能であるのは勿論である。
例えば、本実施形態では、ケーブル挿入部用カバー３や工具挿入部用カバー４がそれぞれ一体的なものである場合を例示して説明したが、これらは分割して形成されていてもよい。具体的には、図３に示すように、ケーブル挿入部用カバー３Ａには、カバー本体部２に一体的で、かつケーブル挿入部１１の周囲を囲う基端部３１と、基端部３１から線材２１の挿入方向手前側に所定間隔空けて配置された先端部３２とが別個に設けられている。一方、工具挿入部用カバー４Ａには、カバー本体部２に一体的で、かつ工具挿入部１３の周囲を囲う基端部４１と、基端部４１から工具３０の挿入方向手前側に所定間隔空けて配置された先端部４２とが別個に設けられている。このように、ケーブル挿入部用カバー３Ａや工具挿入部用カバー４Ａがそれぞれ分割構成されていたとしても、線材２１や工具３０が金属に接触することが防止される。
【図面の簡単な説明】
【００２３】
【図１】本実施形態の端子台カバーの内部構成を表す断面図である。
【図２】図１の端子台カバーの外観を表す斜視図である。
【図３】図１の端子台カバーの変形例を表す断面図である。
【図４】従来の端子台を表す正面図である。
【符号の説明】
【００２４】
１      端子台カバー
２      カバー本体部
３      ケーブル挿入部用カバー
４      工具挿入部用カバー
１０      端子台
１１      ケーブル挿入部
１２      挟持部
１３      工具挿入部
１４      載置台
１５      昇降部
１６      ネジ部
２０      ケーブル
２１      線材
３０      工具
【図１】
2008153101.tif 000003
【図２】
2008153101.tif 000004
【図３】
2008153101.tif 000005
【図４】
2008153101.tif 000006